(57)【要約】      （修正有）【課題】紙製の履歴書と電子履歴書媒体であるＤＶＤとを一体的に組み合わせ、応募者、採用側双方における労力、時間の軽減に寄与し得る電子履歴書媒体であるＤＶＤ付き履歴書を提供する。【解決手段】折り畳み可能とした第１葉ａ乃至第３葉ｃからなり、応募者の顔写真を貼付し、第１葉ａ、第２葉ｂに応募者の氏名、年令、住所、学歴、職歴、資格、特技、志望の動機等の履歴書情報を記載した紙製の履歴書２と、応募者の応募に関する自己宣伝等のステートメントを述べる状態の動画像及び音声、応募者の過去の経歴等を示す動画像及び音声をコンピュータ読み取り可能に記録し、前記第３葉ｃに設けた２箇所の切り込み部２６、２７に着脱可能に挟み込んだ電子履歴書媒体であるＤＶＤ３と、を有する。【選択図】図１
0003133444.tif 000002
【実用新案登録請求の範囲】
【請求項１】
応募者の顔写真を貼付し、応募者の氏名、年令、住所、学歴、職歴、資格、特技、志望の動機等の履歴書情報を記載した紙製の履歴書と、
この紙製の履歴書に付加した応募者の応募に関する自己宣伝等のステートメントを述べる状態の動画像及び音声、応募者の過去の経歴等を示す動画像及び音声をコンピュータ読み取り可能に記録した電子履歴書媒体であるＤＶＤと、
を組合せてなることを特徴とする電子履歴書媒体付き履歴書。
【請求項２】
折り畳み可能とした第１葉乃至第３葉からなり、応募者の顔写真を貼付し、第１葉、第２葉に応募者の氏名、年令、住所、学歴、職歴、資格、特技、志望の動機等の履歴書情報を記載した紙製の履歴書と、
応募者の応募に関する自己宣伝等のステートメントを述べる状態の動画像及び音声、応募者の過去の経歴等を示す動画像及び音声をコンピュータ読み取り可能に記録し、前記第第３葉に設けた２箇所の切り込み部に着脱可能に挟み込んだ電子履歴書媒体であるＤＶＤと、
の組合せからなり、
前記第３葉に電子履歴書媒体の参照依頼文字情報を表示したことを特徴とする電子履歴書媒体付き履歴書。
【請求項３】
折り畳み可能とした第１葉乃至第３葉からなり、第１葉に応募者の顔写真を貼付し、第１葉、第２葉に応募者の氏名、年令、住所、学歴、職歴、資格、特技、志望の動機等の履歴書情報を記載した紙製の履歴書と、
応募者の応募に関する自己宣伝等のステートメントを述べる状態の動画像及び音声、応募者の過去の経歴等を示す動画像及び音声をコンピュータ読み取り可能に記録し、前記第第３葉に貼り付けた収容袋体に着脱可能に収容した電子履歴書媒体であるＤＶＤと、
の組合せからなり、
前記第３葉又は収容袋体に電子履歴書媒体の参照依頼文字情報を表示したことを特徴とする電子履歴書媒体付き履歴書。
【請求項４】
折り畳み可能とした第１葉、第２葉からなり、第１葉に応募者の顔写真を貼付し、第１葉、第２葉に応募者の氏名、年令、住所、学歴、職歴、資格、特技、志望の動機等の履歴書情報を記載した紙製の履歴書と、
応募者の応募に関する自己宣伝等のステートメントを述べる状態の動画像及び音声、応募者の過去の経歴等を示す動画像及び音声をコンピュータ読み取り可能に記録し、第１葉又は第２葉の裏面に取り付けた媒体取り付け具に着脱可能に装着した電子履歴書媒体であるＤＶＤと、
の組合せからなり、
前記第１葉又は第２葉の裏面に電子履歴書媒体の参照依頼文字情報を表示したことを特徴とする電子履歴書媒体付き履歴書。
【請求項５】
封筒状とした第１葉、第２葉からなり、第１葉表面に応募者の顔写真を貼付し、応募者の氏名、年令、住所、学歴、職歴等の履歴書情報を、第２葉表面に応募者の資格、特技、志望の動機等の履歴書情報を記載した履歴書と、
応募者の応募に関する自己宣伝等のステートメントを述べる状態の動画像及び音声、応募者の過去の経歴等を示す動画像及び音声をコンピュータ読み取り可能に記録し、前記第１葉、第２葉により形成される封筒内部に収納した電子履歴書媒体であるＤＶＤと、
の組合せからなり、
前記封筒内部に電子履歴書媒体の参照依頼文字情報を表示した紙片を入れたことを特徴とする電子履歴書媒体付き履歴書。
【請求項６】
折り畳むことで封書となる第１葉、第２葉からなり、第１葉表面に応募先の宛名記載欄を、第１葉裏面に応募者の顔写真を貼付し、応募者の氏名、年令、住所、学歴、職歴等の履歴書情報を、第１葉裏面に連なる第２葉表面に応募者の資格、特技、志望の動機等の履歴書情報を記載した履歴書と、
応募者の応募に関する自己宣伝等のステートメントを述べる状態の動画像及び音声、応募者の過去の経歴等を示す動画像及び音声をコンピュータ読み取り可能に記録し、施封される第１葉裏面又は第２葉表面に貼り付けた収容袋体に着脱可能に収容した電子履歴書媒体であるＤＶＤと、
の組合せからなり、
前記収容袋体に電子履歴書媒体の参照依頼文字情報を表示したことを特徴とする電子履歴書媒体付き履歴書。
【請求項７】
応募者の応募に関する自己宣伝等のステートメントを述べる状態の動画像及び音声、応募者の過去の経歴等を示す動画像及び音声をコンピュータ読み取り可能に記録した電子履歴書媒体であるＤＶＤと、
この電子履歴書媒体を内部に着脱可能に収容するケース体と、第１葉に応募者の顔写真を貼付し、第１葉、第２葉に応募者の氏名、年令、住所、学歴、職歴、資格、特技、志望の動機等の履歴書情報が記載され、折り畳まれて前記ケース体内に収容した履歴書と、
の組合せからなり、
前記ケース体内に電子履歴書媒体の参照依頼文字情報を表示した紙片を入れたことを特徴とする電子履歴書媒体付き履歴書。
【請求項８】
応募者の応募に関する自己宣伝等のステートメントを述べる状態の動画像及び音声、応募者の過去の経歴等を示す動画像及び音声をコンピュータ読み取り可能に記録したことを特徴とする電子履歴書媒体であるＤＶＤ。
【請求項９】
応募者の応募に関する自己宣伝等のステートメントを述べる状態の動画像及び音声、応募者の過去の経歴等を示す動画像及び音声をコンピュータ読み取り可能に記録し、ケース体に収容するとともに、前記ケース体内に電子履歴書媒体の参照依頼文字情報を表示した紙片を入れたことを特徴とする電子履歴書媒体であるＤＶＤ。
【請求項１０】
応募者の応募に関する自己宣伝等のステートメントを述べる状態の動画像及び音声、応募者の過去の経歴等を示す動画像及び音声、紙製の履歴書に記載する応募者の履歴書情報に相当する履歴書文字データをコンピュータ読み取り可能に記録したことを特徴とする電子履歴書媒体であるＤＶＤ。
【請求項１１】
応募者の応募に関する自己宣伝等のステートメントを述べる状態の動画像及び音声、応募者の過去の経歴等を示す動画像及び音声、紙製の履歴書に記載する応募者の履歴書情報に相当する履歴書文字データをコンピュータ読み取り可能に記録し、ケース体に収容するとともに、前記ケース体内に電子履歴書媒体の参照依頼文字情報を表示した紙片を入れたことを特徴とする電子履歴書媒体であるＤＶＤ。
【請求項１２】
応募者の顔写真を貼付し、第１葉、第２葉に応募者の氏名、年令、住所、学歴、職歴、資格、特技、志望の動機等の履歴書情報を記載した紙製の履歴書に対応する電子化された履歴書データをコンピュータ読み取り可能に記録したことを特徴とする電子履歴書媒体であるＤＶＤ。
【考案の詳細な説明】
【技術分野】
【０００１】
本考案は、応募者の就職活動等に利用して好適な電子履歴書媒体であるＤＶＤ付き履歴書及び電子履歴書媒体であるＤＶＤに関するものである。
【背景技術】
【０００２】
応募者が企業等への就職活動を行なう場合に、一般的には、紙製の履歴書用紙に自己の顔写真を貼付し、氏名、住所、応募動機等所要の事項を記載して就職希望の企業等へ送り採用担当者による採用可否の判断に供することが行なわれている。
【０００３】
しかし、単なる紙製の履歴書の場合には、採用担当者は、応募者の顔、氏名、住所、応募動機等は紙面にて判断できるものの、当該応募者の話し方、考え方、性格等を的確に判断することは難しい。このため、採用担当者側では、応募者に対する面接を行なうことが通常でかなりの労力、時間を費やしている。
【０００４】
また、応募者にとっても、時間をかけて面接会場に赴く等の労力、時間を割くことが強いられている。
【０００５】
特許文献１には、就職を望む本人に関して種々の観点から第三者が面談やレポートから分析評価したデータや、本人のカラー写真と音声付動画等の大量のデータ等をＣＤディスクにＣＤ−ＲＯＭとして記録し、そのデータ入力はデータベースを使用するようにしてＣＤディスク記録媒体を作成するＣＤ作成選択表示装置が提案されている。
【０００６】
この特許文献１の場合、ＣＤディスク記録媒体をコンピュータにより再生し本人のカラー写真と音声付動画を視認又は視聴できるものの、電子履歴書媒体と、紙製の履歴書とを有機的に組み合わせ、応募者の特定、状況把握を効果的に行なうことは難しい。
【特許文献１】特開２００３−０３０５７０号公報
【考案の開示】
【考案が解決しようとする課題】
【０００７】
本考案が解決しようとする問題点は、紙製の履歴書と電子履歴書媒体であるＤＶＤとを一体的に組み合わせ、採用側において応募者の特定、状況把握を効果的に行なうことを可能とし、応募者、採用側双方における労力、時間の軽減に寄与し得る電子履歴書媒体であるＤＶＤ付き履歴書が存在しない点である。
【課題を解決するための手段】
【０００８】
本考案に係る電子履歴書媒体であるＤＶＤ付き履歴書は、応募者の顔写真を貼付し、応募者の氏名、年令、住所、学歴、職歴、資格、特技、志望の動機等の履歴書情報を記載した紙製の履歴書と、この紙製の履歴書に付加した応募者の応募に関する自己宣伝等のステートメントを述べる状態の動画像及び音声、応募者の過去の経歴等を示す動画像及び音声をコンピュータ読み取り可能に記録した電子履歴書媒体であるＤＶＤと、を有することを最も特徴とする。
【考案の効果】
【０００９】
請求項１記載の考案によれば、紙製の履歴書と電子履歴書媒体であるＤＶＤとを一体的に組み合わせたものであるから、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書を提供できる。
【００１０】
請求項２記載の考案によれば、第１葉乃至第３葉からなる紙製の履歴書と、第３葉に設けた２箇所の切り込み部に着脱可能に挟み込んだ電子履歴書媒体であるＤＶＤとを一体的に組み合わせたものであるから、請求項１記載の考案と同様、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書を提供できる。
【００１１】
請求項３記載の考案によれば、第１葉乃至第３葉からなる紙製の履歴書と、第３葉に貼り付けた収容袋体に着脱可能に収容した電子履歴書媒体であるＤＶＤとを一体的に組み合わせたものであるから、請求項１記載の考案と同様、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書付き履歴書を提供できる。
【００１２】
請求項４記載の考案によれば、第１葉、第２葉からなる紙製の履歴書と、第１葉又は第２葉の裏面に取り付けた媒体取り付け具に着脱可能に装着した電子履歴書媒体であるＤＶＤとを一体的に組み合わせたものであるから、請求項１記載の考案と同様、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書を提供できる。
【００１３】
請求項５記載の考案によれば、封筒状とした第１葉、第２葉からなる紙製の履歴書と、第１葉、第２葉により形成される封筒内部に収納した電子履歴書媒体であるＤＶＤとを組み合わせたものであるから、請求項１記載の考案と同様、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書を提供できる。
【００１４】
請求項６記載の考案によれば、折り畳むことで封書となる第１葉、第２葉からなる紙製の履歴書と、第１葉裏面又は第２葉表面に貼り付けた収容袋体に着脱可能に収容した電子履歴書媒体であるＤＶＤとを組み合わせたものであるから、請求項１記載の考案と同様、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書を提供できる。
【００１５】
請求項７記載の考案によれば、電子履歴書媒体であるＤＶＤを内部に着脱可能に収容するケース体と、折り畳まれてケース体内に収容した紙製の履歴書とを組み合わせたものであるから、請求項１記載の考案と同様、採用側において応募者の特定、状況把握を文書情報、動画像及び音声を利用して効果的に行なうことが可能となり、応募者、採用側双方における労力、時間の軽減に寄与し得る電子履歴書媒体であるＤＶＤ付き履歴書を提供できる。
【００１６】
請求項８及び９記載の考案によれば、応募者の応募に関する自己宣伝等のステートメントを述べる状態の動画像及び音声等を採用側に効果的に伝達でき、請求項１乃至７の各電子履歴書媒体であるＤＶＤ付き履歴書に各々用いることができる電子履歴書媒体であるＤＶＤを提供できる。
【００１７】
請求項１０及び１１記載の考案によれば、紙製の履歴書を全く使用しない完全にペーパーレス化実現でき、応募者、採用側双方における労力、時間の軽減に多大に寄与し得る電子履歴書媒体であるＤＶＤを提供できる。
【００１８】
請求項１２記載の考案によれば、紙製の履歴書の履歴書情報に対応する履歴書データをコンピュータ処理にて容易に視認でき、ペーパーレス化を図りつつ応募者の採用可否の判断を行なうことが可能な電子履歴書媒体であるＤＶＤを提供できる。
【考案を実施するための最良の形態】
【００１９】
本考案は、紙製の履歴書と電子履歴書媒体であるＤＶＤとを一体的に組み合わせ、採用側において応募者の特定、状況把握を効果的に行なうことを可能とし、応募者、採用側双方における労力、時間の軽減に寄与し得る電子履歴書媒体であるＤＶＤ付き履歴書を提供するという目的を、折り畳み可能とした第１葉乃至第３葉からなり、応募者の顔写真を貼付し、第１葉、第２葉に応募者の氏名、年令、住所、学歴、職歴、資格、特技、志望の動機等の履歴書情報を記載した紙製の履歴書と、応募者の応募に関する自己宣伝等のステートメントを述べる状態の動画像及び音声、応募者の過去の経歴等を示す動画像及び音声をコンピュータ読み取り可能に記録し、前記第第３葉に設けた２箇所の切り込み部に着脱可能に挟み込んだ電子履歴書媒体であるＤＶＤと、を有し、前記第３葉に電子履歴書媒体の参照依頼文字情報を表示した構成により実現した。
【実施例】
【００２０】
以下に、本考案の実施例について図面を参照して詳細に説明する。
【００２１】
（実施例１）
図１乃至図３を参照して本考案の実施例１に係る電子履歴書媒体であるＤＶＤ付き履歴書１について説明する。
【００２２】
本実施例１に係る電子履歴書媒体であるＤＶＤ付き履歴書１は、例えばＡ４サイズに折り畳み可能とした第１葉ａ乃至第３葉ｃからなる紙製の履歴書２と、この履歴書２に付加した例えばＤＶＤ（ディジタルビデオディスク）等のような電子履歴書媒体であるＤＶＤ３とを有することを基本構成とする。
【００２３】
前記履歴書２は、公知のように、所定の履歴書パターンに従って、第１葉ａに、自分の希望する企業等への応募者が、自己の氏名を記載する氏名欄１１、自己の顔写真を貼付する写真貼付欄１２、生年月日記載欄１３、住所記載欄１４、電話番号記載欄１５、ＦＡＸ番号記載欄１６、連絡先記載欄１７、学歴・職歴記載欄１８等の履歴書情報記載欄を設けている。
【００２４】
また、第２葉ｂには、学歴・職歴記載欄１８の一部、免許・資格記載欄１９、通勤時間記載欄２０、扶養家族記載欄２１、配偶者記載欄２２、志望の動機等を記載する志望動機等記載欄２３、本人希望記入欄２４、保護者の氏名等を記載する保護者記載欄２５等の履歴書情報記載欄を設けている。
【００２５】
また、前記履歴書２の第３葉ｃには、２箇所の平行な切り込み部２６、２７が設けられ、この切り込み部２５、２７に本実施例１の電子履歴書媒体であるＤＶＤ３を着脱可能に挟み込んでいる。
【００２６】
更に、前記履歴書２の第３葉ｃには、例えば、「この電子履歴書媒体であるＤＶＤには、応募者である私自身を示す情報を収録してありますので、ご担当者様にてこれをご覧いただければ幸甚です。」等のような参照依頼文字情報２８を付している。
【００２７】
前記電子履歴書媒体であるＤＶＤ３には、図２、図３に示すような応募者の応募に関する自己宣伝、応募動機、特技、家庭環境（兄弟が何人等）等を内容とするステートメントを述べる状態の動画像３１及び関連する音声、応募者の過去の経歴、例えば少年時代の野球をしている状態の動画像３２及び関連する音声、大学時代の経歴を示す動画像３３及び関連する音声等をコンピュータ読み取り可能に記録している。
【００２８】
この他、図示しないが過去の社会奉仕活動や、学校のクラブ活動等の動画像及び関連する音声等をコンピュータ読み取り可能に記録した内容とすることも勿論可能である。
【００２９】
すなわち、図２に示すように前記電子履歴書媒体であるＤＶＤ３のデータ領域３ａに、上述した動画像３１及び関連する音声、動画像３２及び関連する音声、動画像３３及び関連する音声を継時的に、かつ、コンピュータ読み取り可能に記録している。
【００３０】
前記動画像３１乃至３３の記録方式としてはＭＰＥＧ方式、前記音声の記録方式としてはリニアＰＣＭ規格等を挙げることができる。本実施例１に係る電子履歴書媒体であるＤＶＤ付き履歴書１は、応募者が前記第１葉ａ、第２葉ｂに所定の履歴書情報を記載し、電子履歴書媒体であるＤＶＤ３とともに郵送等により採用側へ送られる。
【００３１】
本実施例１に係る電子履歴書媒体であるＤＶＤ付き履歴書１によれば、上述した構成としたことにより、前記紙製の履歴書２と電子履歴書媒体であるＤＶＤ３とを有機的に組み合わせた状態の基に、採用側において通常の履歴書２を参照するとともに、参照依頼文字情報２８にしたがって電子履歴書媒体であるＤＶＤ３をコンピュータにて再生し当該応募者のステートメントを述べる動画像３１及び関連する音声、過去の経歴を表す動画像３２、３３及びこれらに関連する音声を視認、視聴することで、採用側において応募者に対する面接を行なうことなく、当該応募者の特定、喋り方、態度、性格、仕事に対する適性等の種々の状況把握を効果的に行なうことが可能となり、労力、時間を軽減しつつ採用業務の効率向上を図ることができる。
【００３２】
また、応募者にとっても、前記電子履歴書媒体であるＤＶＤ付き履歴書１によって、通常の履歴書情報に加え、自己の喋り方、態度、自己宣伝、応募動機、特技等の情報を動画像３１乃至３３及び関連する音声によって採用側に伝達でき、労力、時間を軽減しつつ有効な就職活動を行なうことができる。
【００３３】
すなわち、前記電子履歴書媒体であるＤＶＤ３によって、コンピュータにて再生することを通じて、応募者の喋り方、態度、自己宣伝、応募動機、特技等の情報、過去の経歴等の情報を動画、音声にて採用側に的確に伝達することができる。
【００３４】
（実施例２）
図４を参照して本考案の実施例２に係る電子履歴書媒体であるＤＶＤ付き履歴書１Ａについて説明する。本実施例２に係る電子履歴書媒体であるＤＶＤ付き履歴書１Ａは、基本的な構成は実施例１の電子履歴書媒体であるＤＶＤ付き履歴書１と略同様であるため、同一要素には同一符号を付し、その詳細説明は省略する。
【００３５】
本実施例２に係る電子履歴書媒体であるＤＶＤ付き履歴書１Ａは、履歴書２の構成は実施例１の場合と同様であるが、第３葉ｃに例えば透明合成樹脂シートにより形成した収容袋体３０を貼付け、この収容袋体３０内に前記電子履歴書媒体であるＤＶＤ３を着脱可能に収容したことが特徴である。また、第３葉ｃに既述した場合と同様な参照依頼文字情報２８を付している。参照依頼文字情報２８は、収容袋体３０の表面に付してもよいことはもちろんである。
【００３６】
本実施例２に係る電子履歴書媒体であるＤＶＤ付き履歴書１Ａは、応募者が前記第１葉ａ、第２葉ｂに所定の履歴書情報を記載し、電子履歴書媒体であるＤＶＤ３とともに郵送等により採用側へ送られる。
【００３７】
本実施例２に係る電子履歴書媒体であるＤＶＤ付き履歴書１Ａによれば、実施例１の電子履歴書媒体であるＤＶＤ付き履歴書１の場合と同様にして、採用側において応募者に対する面接を行なうことなく、当該応募者の特定、喋り方、態度、性格、仕事に対する適性等の種々の状況把握を効果的に行なうことが可能となり、労力、時間を軽減しつつ採用業務の効率向上を図ることができる。
【００３８】
また、応募者にとっても、実施例１の電子履歴書媒体であるＤＶＤ付き履歴書１の場合と同様にして、労力、時間を軽減しつつ有効な就職活動を行なうことができる。
【００３９】
（実施例３）
図５、図６を参照して本考案の実施例３に係る電子履歴書媒体であるＤＶＤ付き履歴書１Ｂについて説明する。
【００４０】
本実施例３に係る電子履歴書媒体であるＤＶＤ付き履歴書１Ｂは、基本的な構成は実施例１の電子履歴書媒体であるＤＶＤ付き履歴書１と略同様であるため、同一要素には同一符号を付し、その詳細説明は省略する。
【００４１】
本実施例３に係る電子履歴書媒体付き履歴書１Ｂは、例えばＡ４サイズに折り畳み可能とした第１葉ａ、第２葉ｂからなる紙製の履歴書２Ａと、この履歴書２Ａの例えば第２葉ｂの裏面に取り付けた円形突起状の媒体取り付け具３４に、前記電子履歴書媒体であるＤＶＤ３の中心部を着脱可能に装着したことが特徴である。
【００４２】
また、前記履歴書２Ａの第２葉ｂの裏面に、既述した場合と同様な参照依頼文字情報２８を付している。本実施例３に係る電子履歴書媒体付き履歴書１Ｂは、応募者が前記第１葉ａ、第２葉ｂに所定の履歴書情報を記載し、電子履歴書媒体であるＤＶＤ３とともに郵送等により採用側へ送られる。
【００４３】
本実施例３に係る電子履歴書媒体付き履歴書１Ｂによれば、実施例１の電子履歴書媒体であるＤＶＤ付き履歴書１の場合と同様にして、採用側において応募者に対する面接を行なうことなく、当該応募者の特定、喋り方、態度、性格、仕事に対する適性等の種々の状況把握を効果的に行なうことが可能となり、労力、時間を軽減しつつ採用業務の効率向上を図ることができる。
【００４４】
また、応募者にとっても、実施例１の電子履歴書媒体付き履歴書１の場合と同様にして、労力、時間を軽減しつつ有効な就職活動を行なうことができる。
【００４５】
（実施例４）
図７、図８を参照して本考案の実施例４に係る電子履歴書媒体であるＤＶＤ付き履歴書１Ｃについて説明する。尚、実施例１の電子履歴書媒体付き履歴書１と同一要素には同一符号を付し、その詳細説明は省略する。
【００４６】
本実施例４に係る電子履歴書媒体であるＤＶＤ付き履歴書１Ｃは、例えばＡ４サイズの封筒状に形成されるとともに、実施例１の場合と同様な履歴書情報を各々記載した図７に示す表側の第１葉ａ、図８に示す裏側の第２葉ｂからなる履歴書４１と、前記第１葉ａ、第２葉ｂにより形成される封筒内部に収納する前記電子履歴書媒体３と、既述した場合と同様な参照依頼文字情報２８が付され、前記封筒内部に前記電子履歴書媒体であるＤＶＤ３とともに収納される紙片４２とを有している。第１葉ａ、第２葉ｂの左右両辺及び下辺は、施封片４３ａ、４３ｂ、４４により施封され、また、第１葉ａの上片には第２葉ｂ側に折り込んで施封する開閉施封片４５を設けている。
【００４７】
本実施例４に係る電子履歴書媒体付き履歴書１Ｃは、応募者が前記第１葉ａ、第２葉ｂに所定の履歴書情報を記載し、また、前記電子履歴書媒体であるＤＶＤ３を作成して封筒内に前記紙片４２とともに入れ、郵送等により採用側へ送られる。
【００４８】
本実施例４に係る電子履歴書媒体付き履歴書１Ｃによれば、実施例１の電子履歴書媒体であるＤＶＤ付き履歴書１の場合と同様にして、採用側において応募者に対する面接を行なうことなく、当該応募者の特定、喋り方、態度、性格、仕事に対する適性等の種々の状況把握を効果的に行なうことが可能となり、労力、時間を軽減しつつ採用業務の効率向上を図ることができる。
【００４９】
また、応募者にとっても、実施例１の電子履歴書媒体であるＤＶＤ付き履歴書１の場合と同様にして、労力、時間を軽減しつつ有効な就職活動を行なうことができる。
【００５０】
（実施例５）
図９、図１０を参照して本考案の実施例５に係る電子履歴書媒体であるＤＶＤ付き履歴書１Ｄについて説明する。尚、本実施例５において実施例１の電子履歴書媒体であるＤＶＤ付き履歴書１と同一要素には同一符号を付し、その詳細説明は省略する。
【００５１】
本実施例５に係る電子履歴書媒体であるＤＶＤ付き履歴書１Ｄは、折り畳むことで例えばＡ４サイズの封書となる第１葉ａ、第２葉ｂからなり、第１葉表面に応募先の宛名記載欄及び応募者の氏名、住所記載欄を設けるとともに、第１葉裏面に実施例１の場合と同様な履歴書情報を、第１葉裏面に連なる第２葉表面にも実施例１の場合と同様な履歴書情報を各々記載した履歴書５１と、前記第２葉表面の上部に例えば透明合成樹脂シートにより形成した収容袋体５２を貼付け、この収容袋体５２内に前記電子履歴書媒体であるＤＶＤ３を着脱可能に収容したことが特徴である。また、収容袋体５２の表面には、既述した場合と同様な参照依頼文字情報２８（点で示す）を付している。
【００５２】
この電子履歴書媒体であるＤＶＤ付き履歴書１Ｄは、例えば、第２葉ｂの右辺及び下辺に設けた施封片５３、５４及び第２葉ｂの上片に設けた施封片５５により施封されるようになっている。
【００５３】
本実施例５に係る電子履歴書媒体であるＤＶＤ付き履歴書１Ｄは、第１葉表面に応募先の宛名及び応募者自身の氏名、住所を記載するとともに、第１葉裏面、第２葉表面に各々既述した場合と同様な履歴書情報を記載し、更に電子履歴書媒体であるＤＶＤ３を作成して収容袋体５２に入れ、前記施封片５３、５４及び５５により施封して封書とし、この状態で郵送等により採用側へ送られる。
【００５４】
本実施例５に係る電子履歴書媒体であるＤＶＤ付き履歴書１Ｄによれば、実施例１の電子履歴書媒体であるＤＶＤ付き履歴書１の場合と同様にして、採用側において応募者に対する面接を行なうことなく、当該応募者の特定、喋り方、態度、性格、仕事に対する適性等の種々の状況把握を効果的に行なうことが可能となり、労力、時間を軽減しつつ採用業務の効率向上を図ることができる。
【００５５】
また、応募者にとっても、実施例１の電子履歴書媒体であるＤＶＤ付き履歴書１の場合と同様にして、労力、時間を軽減しつつ有効な就職活動を行なうことができる。更に、前記履歴書５１自体が電子履歴書媒体であるＤＶＤ３を内部に収容した宛名付きの封書として機能するので、別途郵送用の封筒を用意しなくても済むという利点がある。
【００５６】
（実施例６）
図１１、図１２を参照して本考案の実施例６に係る電子履歴書媒体であるＤＶＤ付き履歴書１Ｅについて説明する。
【００５７】
本実施例６に係る電子履歴書媒体であるＤＶＤ付き履歴書１Ｅは、既述した場合と同様な電子履歴書媒体であるＤＶＤ３と、中央部で接合相互に開閉可能な基体６２及び蓋体６３からなり、前記電子履歴書媒体であるＤＶＤ３を内部に着脱可能に収容する全体として薄型直方体状のケース体６１と、例えば実施例３の履歴書２Ａと同様な（電子履歴書媒体であるＤＶＤ３は除去）構成からなり、ケース体６１内に収用可能に折り畳んだ履歴書６４と、前記電子履歴書媒体であるＤＶＤ３とともにケース体６１内に収納される参照依頼文字情報２８が付された紙片４２と、を有している。
【００５８】
また、ケース体６１の表面には、図１２に示すように、応募先の会社名、住所等が付された宛名シール６５が貼付されるようになっている。
【００５９】
すなわち、本実施例６に係る電子履歴書媒体であるＤＶＤ付き履歴書１Ｅは、図１１に示すように、基体６２の内面中央部に設けた円形突起状の媒体取り付け具６５に、電子履歴書媒体であるＤＶＤ３の中心部を着脱可能に装着している。また、蓋体６３の内面に設けた一対のフック片６６、６７に、折り畳んだ履歴書６４を掛け止めて収容するようになっている。尚、６８、６９は、基体６２、蓋体６３に設けた止付部材である
【００６０】
本実施例６に係る電子履歴書媒体であるＤＶＤ付き履歴書１Ｅによれば、実施例１の電子履歴書媒体であるＤＶＤ付き履歴書１の場合と同様にして、採用側において応募者に対する面接を行なうことなく、当該応募者の特定、喋り方、態度、性格、仕事に対する適性等の種々の状況把握を効果的に行なうことが可能となり、労力、時間を軽減しつつ採用業務の効率向上を図ることができる。
【００６１】
また、応募者にとっても、実施例１の電子履歴書媒体であるＤＶＤ付き履歴書１の場合と同様にして、労力、時間を軽減しつつ有効な就職活動を行なうことができる。
【００６２】
更に、前記ケース体６１に応募先の会社名、住所等が付された宛名シール６５が貼付されることから、別途郵送用の封筒を用意しなくても済むという利点がある。
【００６３】
（実施例７）
図１３乃至図１６を参照して本考案の実施例７に係る電子履歴書媒体であるＤＶＤ作成装置７１及び前記電子履歴書媒体であるＤＶＤ３又は電子履歴書媒体であるＤＶＤ９１の発行について説明する。
【００６４】
本実施例７に係る電子履歴書媒体であるＤＶＤ作成装置７１は、図１３に示すように、直方体状の箱型筺体７２を有し、この箱型筺体７２の正面に、応募者の顔を撮像する撮像部を構成するカメラ（デジタルカメラ）７３と、応募者の声を録音するマイク７４と、各種情報を表示する表示部７５と、応募者用のキー入力部７６と、前記電子履歴書媒体であるＤＶＤ３又は本実施例７に係る電子履歴書媒体であるＤＶＤ９１用の発行口７７と、を設けている。
【００６５】
また、前記電子履歴書媒体であるＤＶＤ作成装置７１は、図１４に示すように、プログラムメモリ８０に格納した動作プログラムに基づいて、この電子履歴書媒体であるＤＶＤ作成装置７１の制御を行なう制御部（ＣＰＵ）８１を具備し、制御部８１により、前記カメラ７３、マイク７４に接続した録音部８２、表示部７５等の動作制御を行なうようになっている。
【００６６】
また、前記電子履歴書媒体であるＤＶＤ作成装置７１は、既存の履歴書パターンを記憶した履歴書パターン記憶部８３と、前記履歴書パターンを表示部７５に表示し、応募者入力にて当該応募者の氏名、年令、住所、学歴、職歴、資格、特技、志望の動機等が履歴書パターンに書き込まれた履歴書データを作成し記憶する履歴書データ作成処理部８４と、カメラ７３により撮像する応募者の自己宣伝等のステートメントを述べる状態の動画像（実施例１の場合と同様な動画像３３）等と、応募者の音声を記憶する画像・音声記憶部８５と、前記履歴書データ及び前記動画像、前記音声を同期させたデータを電子履歴書媒体であるＤＶＤ９１用の記録データに変換するデータ変換処理部８６と、予め内蔵している未記録の電子履歴書媒体であるＤＶＤへデータ変換処理部８６にて変換した記録データをコンピュータ読み取り可能に記録する電子履歴書媒体であるＤＶＤ書込部８７と、記録データが記録された前記電子履歴書媒体であるＤＶＤ３又は電子履歴書媒体であるＤＶＤ９１を応募者に向けて発行する媒体であるＤＶＤ発行部８８と、を有している。
【００６７】
前記電子履歴書媒体であるＤＶＤ作成装置７１において、応募者が、前記カメラ７３に向かいつつマイク７４から応募に関する自己宣伝、応募動機、特技、家庭環境（兄弟が何人等）等を内容とするステートメントを述べることによって、画像・音声記憶部８５、データ変換処理部８６及び電子履歴書媒体であるＤＶＤ書込部８７の動作で未記録の電子履歴書媒体であるＤＶＤに実施例１で示したような前記動画像３３等が書き込まれ、媒体であるＤＶＤ発行部８８から実施例１で述べた電子履歴書媒体であるＤＶＤ３が応募者に向けて発行される。この場合には、実施例１乃至６で使用する電子履歴書媒体であるＤＶＤ３として活用できる。  
【００６８】
また、応募者が上述したステートメント等の口述を行なうことに加えて、前記キー入力部７６を操作し、表示部７５に表示される前記履歴書パターンを参照しながら氏名、住所、
志望動機等を入力していくことにより、本実施例７の電子履歴書媒体であるＤＶＤ９１がコンピュータ読み取り可能に作成され、応募者に発行される。
【００６９】
すなわち、この場合には実施例１で述べた場合と同様、既述した図２、図３に示すような応募者の応募に関する自己宣伝、応募動機、特技、家庭環境（兄弟が何人等）等を内容とするステートメントを述べる状態の動画像３１及び関連する音声、応募者の過去の経歴、例えば少年時代の野球をしている状態の動画像３２及び関連する音声、大学時代の経歴を示す動画像３３及び関連する音声等をコンピュータ読み取り可能に記録するとともに、
更に、例えば既述した実施例１の第１葉ａ、第２葉ｂに記載した応募者の履歴書情報に相当する履歴書データ（履歴書文字データ）を所定の履歴書パターンに従って記録した電子履歴書媒体であるＤＶＤ９１が発行される。
【００７０】
具体的には、図１６に示すように、電子履歴書媒体であるＤＶＤ９１のデータ領域９１ａに、上述した動画像３１及び関連する音声、動画像３２及び関連する音声、動画像３３及び関連する音声を継時的に記録するとともに、これに加えて、前記履歴書文字データを履歴書パターンに従って例えば汎用されている表形式で記録している。
【００７１】
前記動画像３１乃至３３の記録方式としてはＭＰＥＧ方式、前記音声の記録方式としてはリニアＰＣＭ規格等を挙げることができる。
【００７２】
更に、図１５に示すように、前記電子履歴書媒体であるＤＶＤ９１を公知の透明なケース体９２に着脱可能に収容するとともに、前記ケース体９２内に電子履歴書媒体であるＤＶＤ７１の参照依頼文字情報２８を表示した紙片４２を入れて、ケース体９２郵送等で応募先に送るようにすれば、紙製の履歴書を全く使用しない完全にペーパーレスの電子履歴書媒体であるＤＶＤ９１として活用でき、
採用側においては応募者に対する面接を行なうことなく、コンピュータを使用して当該応募者の特定、喋り方、態度、性格、仕事に対する適性等の種々の状況把握を効果的に行なうことが可能となり、労力、時間を軽減しつつ採用業務の効率向上を図ることができる。
また、応募者にとっても、既述した場合と同様にして、労力、時間を軽減しつつ有効な就職活動を行なうことができる。
【００７３】
前記透明なケース体９２の開口部に図示しないが改ざん防止シールを貼ってセキュリティ性を高めるようにすることもできる。
【００７４】
本実施例７に係る電子履歴書媒体であるＤＶＤ作成装置７１によれば、簡略な構成で実施例１乃至６で使用する前記電子履歴書媒体であるＤＶＤ３と、完全にペーパーレス化した電子履歴書媒体であるＤＶＤ９１との双方を作成、発行する装置として、学生等の就職活動に伴う履歴書作成分野に極めて有効である。
【００７５】
（実施例８）
図１７乃至図１９を参照して本考案の実施例８に係る電子履歴書媒体であるＤＶＤ作成装置１０１について説明する。
【００７６】
本実施例８に係る電子履歴書媒体であるＤＶＤ作成装置１０１は、作成プログラムメモリ１２０に格納した動作プログラムに基づいて、この電子履歴書媒体であるＤＶＤ作成装置１０１の制御を行なう制御部（ＣＰＵ）１２１と、制御部１２１の制御の基に、応募者の顔写真を貼付し、第１葉ａ、第２葉ｂに応募者の氏名、年令、住所、学歴、職歴、資格、特技、志望の動機等の履歴書情報を記載した例えば実施例３の紙製の履歴書２Ａに対する読み取り走査を行なう履歴書読取走査部であるスキャナ１１１と、前記スキャナ１１１にて読み取った履歴書情報を電子履歴書媒体であるＤＶＤ用の履歴書データに変換するデータ変換処理部１１２と、予め内蔵している未記録の電子履歴書媒体であるＤＶＤへデータ変換処理部１１２にて変換した履歴書データをコンピュータ読み取り可能に記録する電子履歴書媒体であるＤＶＤ書込部１１３と、履歴書データが記録された電子履歴書媒体であるＤＶＤ１３１を発行する媒体であるＤＶＤ発行部１１４と、装置始動用の操作部１１５とを有し、これらを図１７に示す箱型筺体１０２に搭載している。
【００７７】
前記箱型筺体１０２の表面には操作部１１５、履歴書２Ａ用の挿入口１０３及び電子履歴書媒体であるＤＶＤ１３１発行用の発行口１０４を設けている。
【００７８】
図１９は、電子履歴書媒体であるＤＶＤ１３１のデータ構造を示すものであり、データ領域１３１ａに履歴書データを例えばＢＭＰ形式、ＪＰＥＧ形式等で記録している。
【００７９】
本実施例８に係る電子履歴書媒体であるＤＶＤ作成装置１０１によれば、紙製の履歴書２Ａに記載された履歴書情報に相当する内容の履歴書データを記録した電子履歴書媒体であるＤＶＤ１３１を容易に発行することができ、紙製の履歴書２Ａに対する電子化処理に有用な装置とすることができる。
【００８０】
また、本実施例８に係る電子履歴書媒体であるＤＶＤ１３１によれば、紙製の履歴書の履歴書情報に対応する履歴書データをコンピュータ処理にて容易に視認でき、ペーパーレス化を図りつつ応募者の採用可否の判断を行なうことができる。
【産業上の利用可能性】
【００８１】
本考案は、会社等に対する求職、求人等に適用する他、広く官公庁その他各種事業主体における求職、求人業務、従来官公庁に対して文書にて行なっていた各種事業の許認可申請等の分野に応用可能である。
【図面の簡単な説明】
【００８２】
【図１】本考案の実施例１に係る３葉からなる電子履歴書媒体であるＤＶＤ付き履歴書の展開状態の平面図である。
【図２】本考案の実施例１に係る電子履歴書媒体であるＤＶＤのデータ構造を示す説明図である。
【図３】本考案の実施例１に係る電子履歴書媒体であるＤＶＤに記録した動画像の概略図である。
【図４】本考案の実施例２に係る３葉からなる電子履歴書媒体であるＤＶＤ付き履歴書の展開状態の平面図である。
【図５】本考案の実施例３に係る２葉からなる電子履歴書媒体であるＤＶＤ付き履歴書の展開状態の平面図である。
【図６】本考案の実施例３に係る２葉からなる電子履歴書媒体であるＤＶＤ付き履歴書の裏面図である。
【図７】本考案の実施例４に係る袋状の電子履歴書媒体であるＤＶＤ付き履歴書の表面図である。
【図８】本考案の実施例４に係る袋状の電子履歴書媒体であるＤＶＤ付き履歴書の展開状態を示す図である。
【図９】本考案の実施例５に係る封書状の電子履歴書媒体であるＤＶＤ付き履歴書の正面図である。
【図１０】本考案の実施例５に係る封書状の電子履歴書媒体であるＤＶＤ付き履歴書の展開状態を示す図である。
【図１１】本考案の実施例６に係るケース体入りの電子履歴書媒体であるＤＶＤ付き履歴書の展開状態を示す平面図である。
【図１２】本考案の実施例６に係るケース体入りの電子履歴書媒体であるＤＶＤ付き履歴書のケース体を閉じた状態を示す図である。
【図１３】本考案の実施例７に係る電子履歴書媒体であるＤＶＤ作成装置の外観構成を示す斜視図である。
【図１４】本考案の実施例７に係る電子履歴書媒体であるＤＶＤ作成装置の制御系を示すブロック図である。
【図１５】本考案の実施例７に係るケース体入りの電子履歴書媒体であるＤＶＤを示す正面図である。
【図１６】本考案の実施例７に係る電子履歴書媒体であるＤＶＤのデータ構造を示す説明図である。
【図１７】本考案の実施例８に係る電子履歴書媒体であるＤＶＤ作成装置の外観構成を示す斜視図である。
【図１８】本考案の実施例８に係る電子履歴書媒体であるＤＶＤ作成装置の制御系を示すブロック図である。
【図１９】本考案の実施例８に係る電子履歴書媒体であるＤＶＤのデータ構造を示す説明図である。
【符号の説明】
【００８３】
１    電子履歴書媒体であるＤＶＤ付き履歴書
１Ａ  電子履歴書媒体であるＤＶＤ付き履歴書
１Ｂ  電子履歴書媒体であるＤＶＤ付き履歴書
１Ｃ  電子履歴書媒体であるＤＶＤ付き履歴書
１Ｄ  電子履歴書媒体であるＤＶＤ付き履歴書
１Ｅ  電子履歴書媒体であるＤＶＤ付き履歴書
２    履歴書
２Ａ  履歴書
３    電子履歴書媒体であるＤＶＤ
３ａ  データ領域
１１    氏名欄
１２    写真貼付欄
１３    生年月日記載欄
１４    住所記載欄
１５    ＦＡＸ番号記載欄
１６    電話番号記載欄
１７    連絡先記載欄
１８    学歴・職歴記載欄
１９    資格・特技記載欄
２０    通勤時間記載欄
２１    扶養家族記載欄
２２    配偶者記載欄
２３    志望動機等記載欄
２４    本人希望記入欄
２５    保護者記載欄
２６    切り込み部
２７    切り込み部
２８    参照依頼文字情報
３０    収容袋体
３１    動画像
３２    動画像
３３    動画像
３４    取り付け具
４１    履歴書
４２    紙片
４３ａ  施封片
４３ｂ  施封片
４４    施封片
４５    開閉施封片
５１    履歴書
５２    収容袋体
５３    施封片
５４    施封片
５５    施封片
６１    ケース体
６２    基体
６３    蓋体
６４    履歴書
６５    宛名シール
６５    取り付け具
６６    フック片
６７    フック片
６８    止付部材
６９    止付部材である
７１    電子履歴書媒体であるＤＶＤ作成装置
７２    箱型筺体
７３    カメラ
７４    マイク
７５    表示部
７６    キー入力部
７７    発行口
８０    プログラムメモリ
８１    制御部
８２    録音部
８３    履歴書パターン記憶部
８４    履歴書データ作成処理部
８５    画像・音声記憶部
８６    データ変換処理部
８７    電子履歴書媒体であるＤＶＤ書込部
８８    媒体であるＤＶＤ発行部
９１    電子履歴書媒体であるＤＶＤ
９１ａ  データ領域
９２    ケース体
１０１    電子履歴書媒体であるＤＶＤ作成装置
１０２    箱型筺体
１０３    挿入口
１０４    発行口
１１１    スキャナ
１１２    データ変換処理部
１１３    電子履歴書媒体であるＤＶＤ書込部
１１４    媒体であるＤＶＤ発行部
１１５    操作部
１２０    作成プログラムメモリ
１２１    制御部
１３１    電子履歴書媒体であるＤＶＤ
１３１ａ  データ領域
ａ    第１葉
ｂ    第２葉
ｃ    第３葉
【図１】
0003133444.tif 000003
【図２】
0003133444.tif 000004
【図３】
0003133444.tif 000005
【図４】
0003133444.tif 000006
【図５】
0003133444.tif 000007
【図６】
0003133444.tif 000008
【図７】
0003133444.tif 000009
【図８】
0003133444.tif 000010
【図９】
0003133444.tif 000011
【図１０】
0003133444.tif 000012
【図１１】
0003133444.tif 000013
【図１２】
0003133444.tif 000014
【図１３】
0003133444.tif 000015
【図１４】
0003133444.tif 000016
【図１５】
0003133444.tif 000017
【図１６】
0003133444.tif 000018
【図１７】
0003133444.tif 000019
【図１８】
0003133444.tif 000020
【図１９】
0003133444.tif 000021